(57)【特許請求の範囲】
【請求項１】
熱可塑性プラスチックシートの真空成形品であって、タバコパッケージの上部に嵌まり合うキャップ形状をした収納部分と、収納部分の開口における長い方の２辺にそれぞれ折曲げ線を介して連設する折返しパネルとを有し、一方の折返しパネルには折曲げ線から所定距離だけ離れたところに外側に突き出る凸部が形成されており、他方の折返しパネルは折曲げ線から前記と同じ所定距離だけ離れたところにある折り線によって折曲げ線側の折返し部分と先端側の支え部分とに区画されており、両方の折返しパネルをそれぞれ折曲げ線で収納部分の中に折り返すとともに他方の折返しパネルの支え部分を折り線で反対側に曲げた状態において、他方の折返しパネルの支え部分はその先端が一方の折返し部分の凸部に引っ掛かるようになっており、収納部分の各コーナーには丸みが付けられていること特徴とするタバコパッケージ用付属容器。
【請求項２】
他方の折返しパネルにおける支え部分に、折り線の一部を根元とする摘みが切れ線で区画されていることを特徴とする請求項１に記載のタバコパッケージ用付属容器。
【請求項３】
収納部分と折返しパネルとの境界に位置する折曲げ線がミシン目で形成されていることを特徴とする請求項１又は２に記載のタバコパッケージ用付属容器。
【発明の詳細な説明】
【技術分野】
【０００１】
本発明は、タバコパッケージに景品等の付属物品を添付するために使用されるタバコパッケージ用付属容器に関するものである。
【背景技術】
【０００２】
従来より、タバコの販売促進を図るため、ライター等の付属物品を景品として添付することが行われている。この場合、タバコパッケージの中に付属物品を入れるのは難しいので、タバコパッケージと一体化しうる付属容器を準備し、その中に付属物品を入れた形態で販売することが望ましい。そこで、このような付属容器として、ＰＥＴ等の透明プラスチックシートにより形成し、タバコパッケージに取り付けられる取付部と、付属物品を収納しうる収納部と、収納した付属物品を固定しうる固定部とを設けたタイプの容器が知られている。
【特許文献１】実用新案登録第３１１１５１４号公報
【発明の開示】
【発明が解決しようとする課題】
【０００３】
従来の技術で挙げた付属容器は、中に付属物品を入れた状態でボックスタイプのタバコパッケージの上部に取り付けられ、また透明であるために中の付属物品が見えるので、店頭等にて効率的に展示できるとともに販売しやすいという利点がある。ところが、透明プラスチックシートを打ち抜いた一枚のブランクを組み立てることにより形成されているため、形状が複雑であって組立がそれほど簡単ではない。特に、人手で組み立てることを考えると、手間が掛かってコストが高くなってしまう。また、取付部はキャップ形状に形成されているため、タバコパッケージの上部への取付が容易ではあるものの、単に差し込んでいるだけであるので簡単に外れる恐れもある。
【０００４】
本発明は、上記のような問題点に鑑みてなされたものであり、その目的とするところは、構造がシンプルで組み立てる手間がかからず、しかもタバコパッケージの上部にしっかりと固定でき、安価に供給できるタバコパッケージ用付属容器を提供することにある。
【課題を解決するための手段】
【０００５】
請求項１に記載の発明であるタバコパッケージ用付属容器は、熱可塑性プラスチックシートの真空成形品であって、タバコパッケージの上部に嵌まり合うキャップ形状をした収納部分と、収納部分の開口における長い方の２辺にそれぞれ折曲げ線を介して連設する折返しパネルとを有し、一方の折返しパネルには折曲げ線から所定距離だけ離れたところに外側に突き出る凸部が形成されており、他方の折返しパネルは折曲げ線から前記と同じ所定距離だけ離れたところにある折り線によって折曲げ線側の折返し部分と先端側の支え部分とに区画されており、両方の折返しパネルをそれぞれ折曲げ線で収納部分の中に折り返すとともに他方の折返しパネルの支え部分を折り線で反対側に曲げた状態において、他方の折返しパネルの支え部分はその先端が一方の折返し部分の凸部に引っ掛かるようになっており、収納部分の各コーナーには丸みが付けられていること特徴としている。
【０００６】
請求項２に記載の発明であるタバコパッケージ用付属容器は、請求項１に記載のタバコパッケージ用付属容器において、他方の折返しパネルにおける支え部分に、折り線の一部を根元とする摘みが切れ線で区画されていることを特徴としている。
【０００７】
請求項３に記載の発明であるタバコパッケージ用付属容器は、請求項１又は２に記載のタバコパッケージ用付属容器において、収納部分と折返しパネルとの境界に位置する折曲げ線がミシン目で形成されていることを特徴としている。
【発明の効果】
【０００８】
請求項１に記載の発明であるタバコパッケージ用付属容器は、一方の折返しパネルを収納部分の内側に折り返した状態で収納部分の底に付属物品を入れてから、支え部分を一方の折返しパネルの凸部に引っ掛けるようにして他方の折返しパネルを内側に折り返すことにより、付属物品を落下しない状態で収納することができる。そして、その収納状態で一方の折返しパネルの凸部がタバコパッケージの上面に当接するところまで押し込むことにより、簡単にタバコパッケージの上部に取り付けることができる。また、収納部分の各コーナーに丸みがあり、しかも長辺側には折返し部分があるので、タバコパッケージの上部に差し込んで押し込むとコーナーのところで緊張状態となり、しっかりと固定することができる。また、真空成形品であって、組立の手間もかからないことから、安価に供給することができる。
【０００９】
請求項２に記載の発明であるタバコパッケージ用付属容器は、摘みを引っ張ることによって支え部分を凸部から外せるので、上記効果に加え、付属物品を簡単に取り出すことができるという効果を奏する。
【００１０】
請求項３に記載の発明であるタバコパッケージ用付属容器は、収納部分の中に折返しパネルを折り曲げて入れる作業が簡単に行えるので、上記効果に加え、手作業による組立工程の負荷を軽減することができるという効果を奏する。
【発明を実施するための最良の形態】
【００１１】
以下、図面を参照して本発明の実施の形態を説明する。
【００１２】
図１は本発明に係るタバコパッケージ用付属容器の一例を示す斜視図、図２は図１のタバコパッケージの正面図、図３は同じく平面図、図４は同じく側面図であり、図５は図１のタバコパッケージ用付属容器を組み立てた状態で示す斜視図、図６は図１のタバコパッケージ用付属容器を付属物品を収納した状態で示す斜視図、図７は図１のタバコパッケージ用付属容器を使用状態で示す斜視図である。
【００１３】
タバコパッケージ用付属容器１は、素材がＰＥＴからなるプラスチックシートを真空成形して形成された全体が透明なものであり、図１に示すように、タバコパッケージＴの上部に丁度嵌まり合うキャップ形状をした収納部分２と、収納部分２の開口における長い方の２辺にそれぞれ折曲げ線αを介して連設する折返しパネル３，４とを有している。
【００１４】
一方の折返しパネル３には折曲げ線αから所定距離だけ離れたところに外側に突き出る凸部３ａが間隔を置いて２つ並んだ状態で形成されており、他方の折返しパネル４は折曲げ線から前記と同じ所定距離だけ離れたところにある折り線βによって折曲げ線α側の折返しパネル４ａと先端側の支え部分４ｂとに区画されている。そして、図５に示すように、両方の折返しパネル３，４をそれぞれ折曲げ線αで収納部分２の中に折り返すとともに他方の折返しパネル４の支え部分４ｂを折り線βで反対側に曲げた状態において、他方の折返しパネル４の支え部分４ｂはその先端が一方の折返しパネル３の凸部３ａに引っ掛かるようになっている。また、他方の折返しパネル４における支え部分４ｂには、折り線βの一部を根元とする摘みが切れ線γで区画されている。なお、折曲げ線αは折り曲げやすさを考慮してミシン目で形成されており、折り線βは普通の押し罫で形成されている。
【００１５】
この付属容器１における収納部分２の各コーナーには丸み（Ｒ）が付けられている。すなわち、取り付ける対象となるタバコパッケージＴの角よりも大きめの丸みが付いており、この丸みは真空成形を行う金型のコーナーに所定半径の丸みを付けておくことで簡単に付与することができる。そして各折返しパネル３，４は、収納部分２の開口におけるこの丸みのない直線部分のところに連設している。
【００１６】
また、収納部分２の開口における短い方の両辺には僅かに外側に延びたバリ２ａの部分が残っており、収納部分２をタバコパッケージＴの上部に差し込む時に、このバリ２ａの部分が案内の役目を果たすので好都合である。また、収納部分２の上半には小さな角度でテーパーが付けられているが、これは成形時における型抜きを容易とするためである。
【００１７】
上記の付属容器１は、図６に示すように、付属物品として小型サイズのライターＲを斜めに入れるようになっている。すなわち、長さが収納部分２の長辺に納まり、幅が短辺よりも大きなサイズのライターＲを斜めに収納する。このため、一方の折返しパネル３の凸部３ａはテーパーの付いた形状に設計されている。ライターＲを収納するには、一方の折返しパネル３を収納部分２の内側に折り返した後、その折返し状態で凸部３ａの下側になるようにして収納部分２の底にライターＲを斜めに入れてから、支え部分４ｂを一方の折返しパネル３の凸部３ａに引っ掛けるようにして他方の折返しパネル４を内側に折り返すようにする。これによりライターＲを落下しない状態で収納することができる。そして、付属容器１に収納したライターＲを取り出す時は、摘み４ｃを指先で摘んで他方の折返しパネル４を引っ張りだしてから、中のライターＲを取り出せばよい。
【００１８】
付属容器１にライターＲを収納した状態で、タバコパッケージＴの上部に差し込み、そのまま一方の折返しパネル３の凸部３ａがタバコパッケージＴの上部に当接するところまで押し込む。すると、一方の折返しパネル３の下部と他方の折返しパネル４の折返し部分４ａが強制的に折り曲げられて収納部２とタバコパッケージＴの間に挟持される。これにより、収納部分２の上部空間にライターＲが入った状態で付属容器１をタバコパッケージＴの上部に取り付けることができる。すなわち、折返しパネル３の凸部３ａは、ストッパーの役目を果たすともに、収納空間を確保する役目を果たす。
【００１９】
このように、付属容器１をタバコパッケージＴの上部に取り付けると、収納部分２の各コーナーに丸み（Ｒ）があり、しかも相対する長辺側にはそれぞれ折返し部分があるので、コーナーのところで緊張状態となり、しっかりと固定されることになる。
【００２０】
なお、上記の例では、収納部分２に対する折返しパネル３，４の折曲げ線αをミシン目としたが、単なる押し罫でも構わない。ただ、ミシン目の方が折り曲げやすくなるため、組立時の手作業が楽になる。
【００２１】
また、上記の例では、折返しパネル３の凸部３ａを２箇所に設けたが、３箇所でもよいし、或いは一本の長い凸部を横方向に設けるようにしてもよい。いずれにしても、付属容器がぐらつかずに安定して固定できれば、凸部の形状は任意であり、収納する付属物品に応じて適宜設計すればよい。
【００２２】
また、上記の例では、収納部分２を蒲鉾形状としたが、付属物品やデザインに応じて例えば直方体形状や屋根形状としてもよい。
【００２３】
本発明の付属容器を取り付ける対象となるタバコパッケージは、図示のような角のある通常のボックスタイプのタバコパッケージＴに限らず、角に丸みのあるボックスタイプのタバコパッケージでもよい。この場合、収納部分２の各コーナーに付ける丸み（Ｒ）の半径をタバコパッケージの角の丸みより大きくすることで、付属容器を緊張状態で固定することができる。
【００２４】
本発明では、上記のように、収納部分２の開口における長い方の２辺にそれぞれ折返しパネル３，４を連設し、そのうちの一方の折返しパネル３に凸部３ａを形成している。折返しパネル３を設けることなく、収納部分２の内側に直接凸部を形成すればよさそうではあるが、この場合、凸部を少しでも高くすると成形時の型抜きが困難になる。これに対し、本発明のように折返しパネル３を設けてそこに凸部３ａを形成するようにしたことにより、凸部を高くしても通常の金型で支障なく製造することができる。
【００２５】
以上、本発明の実施の形態について詳細に説明してきたが、本発明による鏡餅用包装箱及びそれを用いた鏡餅包装体は、上記実施の形態に何ら限定されるものではなく、本発明の趣旨を逸脱しない範囲において種々の変更が可能であることは当然のことである。
【００２６】
例えば、上記の例では、素材がＰＥＴからなるプラスチックシートの場合を例に挙げたが、塩化ビニル、ポリエチレン等、他の素材のプラスチックシートを使用することもできる。ただ、リサイクル等の環境問題の観点からＰＥＴを用いることが好ましい。
【００２７】
また、付属物品としては、ライターの他に、キーホルダーやアクセサリーなどの小物を始めとして種々のものが挙げられ、アイデアに応じて適宜決められるものであって特に限定はない。
【図面の簡単な説明】
【００２８】
【図１】本発明に係るタバコパッケージ用付属容器の一例を示す斜視図である。
【図２】図１のタバコパッケージの正面図である。
【図３】図１のタバコパッケージの平面図である。
【図４】図１のタバコパッケージの側面図である。
【図５】図１のタバコパッケージ用付属容器を組み立てた状態で示す斜視図である。
【図６】図１のタバコパッケージ用付属容器を付属物品を収納した状態で示す斜視図である。
【図７】図１のタバコパッケージ用付属容器を使用状態で示す斜視図である。
【符号の説明】
【００２９】
Ｒ  ライター
Ｔ  タバコパッケージ
１  タバコパッケージ用付属容器
２  収納部分
２ａ  バリ
３  折返しパネル
３ａ  凸部
４  折返しパネル
４ａ  折返し部分
４ｂ  支え部分
４ｃ  摘み
α  折曲げ線
β  折り線
γ  切れ線
【図１】
0004840577.tif 000002
【図２】
0004840577.tif 000003
【図３】
0004840577.tif 000004
【図４】
0004840577.tif 000005
【図５】
0004840577.tif 000006
【図６】
0004840577.tif 000007
【図７】
0004840577.tif 000008